(57)【要約】【課題】装飾の施される容器の蓋体の天板を、蓋体のみの構成により、交換可能にすること。【解決手段】側面に係合爪を有する円形の天板と、上部に前記係合爪が係合するための係合溝を形成する蓋体本体と、を有し、前記天板の上面には、天板の回転方向と直交する方向に段差が形成されるような立体的な装飾が施されることを特徴とする。【選択図】  図１
2004338736.tif 000002
【特許請求の範囲】
【請求項１】
側面に係合爪を有する円形の天板と、
上部に前記係合爪が係合するための係合溝を形成する蓋体本体と、を有し、
前記天板の上面には、天板の回転方向と直交する方向に段差が形成されるような立体的な装飾が施されることを特徴とする容器の蓋体。
【発明の詳細な説明】
【０００１】
【発明の属する技術分野】
本発明は、容器本体の内容物を保護する容器の蓋体に関し、特に模様や装飾を施した容器の蓋体に関する。
【０００２】
【従来の技術】
従来、容器、例えばコンパクト容器等の化粧料容器には、化粧料を収納する容器本体を開閉するために蓋体が備えられており、この蓋体の表面には、装飾性向上のために装飾や模様が、当該蓋体と一体的に施されているものがある。この場合、蓋体自体を替えない限り、容器に施される装飾や模様を変更することはできなかった。
【０００３】
蓋体は容器を使用する際に必ず外し、目に付くものであるため、当該蓋体に施される装飾や模様は、容器全体の装飾性を決定する。ここで、装飾や模様を変更することができないと、容器の外観が一定のものとなり、使用者が飽きてしまうという問題があった。
【０００４】
最近では、リサイクルの観点から、容器の販売だけでなく、詰め替え用の化粧料のみを販売する販売形態もとられているため、容器の蓋体の装飾や模様を使用者の好みに応じて変更することが求められていた。
【０００５】
そこで、表面の装飾を変更することができる容器の蓋体として、蓋本体の上部に装飾を施した天板を着脱可能に構成し、コイン等の取り外し器具を使用することで、他の装飾を施した天板に変更する容器の蓋体がある（例えば特許文献１参照）。
【０００６】
【特許文献１】
特開２００３−５２４４６
【０００７】
【発明が解決しようとする課題】
しかしながら、天板を取り外すための器具を、容器蓋体の他に必要とすると、他の天板に変更する際に、当該器具が容器蓋体のそばになくてはならない。このため、取り外すための器具を必要としないで、より容易に天板を交換することが望まれていた。
【０００８】
そこで本発明の目的は、装飾の施される容器の蓋体の天板を、蓋体のみの構成により、交換可能にすることである。
【０００９】
【課題を解決するための手段】
上記目的を達成するための、本発明の代表的な構成においては、側面に係合爪を有する円形の天板と、上部に前記係合爪が係合するための係合溝を形成する蓋体本体と、を有し、前記天板の上面には、天板の回転方向と直交する方向に段差が形成されるような立体的な装飾が施されることを特徴とする。
【００１０】
【発明の実施の形態】
図を用いて本発明の実施形態を説明する。図１は容器の分解斜視図であり、図２は容器の蓋体の断面図であり、図３は天板と蓋体本体との組立図である。
【００１１】
図１に示すように、化粧料容器等の容器は、下部の内側に雌ネジ部２３（図２（ａ）参照）が設けられる容器の蓋体Ａと、上部に雌ネジ部２３と嵌合する雄ネジ部Ｂ１が設けられ化粧料等を収納する容器本体Ｂと、から構成される。また、容器の蓋体Ａは、蓋体本体２０と、蓋体本体２０の装着部２１に着脱可能に嵌合する天板１０と、から構成される。
【００１２】
図１及び図２に示すように、天板１０の上面には、段差のある格子状の立体的な装飾１１が施されている。また、天板１０の側面には、蓋体本体２０と係合するための複数の係合爪１２が形成されている。
【００１３】
蓋体本体２０の上面には、円形の天板１０全体が入り込む大きさの窪みが、天板１０の装着部２１として形成されている。また、装着部２１の内側の側面には、天板の係合爪１２が入り込むことで、天板１０を蓋体本体２０に固定するためのＬ字状の係合溝２２が形成されている。
【００１４】
次にこの構成により、容器の蓋体Ａの天板１０を交換する動作を説明する。尚、図３は図２（ｂ）に示す、Ｘ−Ｘ断面である。
【００１５】
図２及び図３（ａ）に示すように、通常は、天板１０の係合爪１２が、蓋体本体２０の係合溝２２に配設されるストッパ２２ａにて止められており、天板１０を蓋体本体２０から抜け出ないように構成される。
【００１６】
天板１０を蓋体本体２０から取り外す方法について説明する。天板１０を蓋体本体２０から取り外すためには、図３（ｂ）に示すように、天板１０の係合爪１２を、Ｌ字形状の係合溝２２に対して水平方向に移動させて、係合爪１２と係合溝２２との係合を解除する必要がある。
【００１７】
ここで本発明においては、図１に示すように、天板１０の上面に段差のある格子状の立体的な装飾１１が施されている。このように係合爪１２の係合を解除する方向である回転方向に対して直交する方向に格子状の段差が形成されているため、使用者が天板１０の上面の装飾１１を押しつつ、天板１０を水平に回転させると、回転方向と直交する方向に形成される格子状の段差が使用者の指に引っかかる。
【００１８】
これにより、天板１０の係合爪１２が、係合溝２２のストッパ２２ａの係合を解除するのに必要な摩擦力を得ることができ、天板１０の係合爪１２を、係合溝２２内でストッパ２２ａに係止される位置（図３（ａ）参照）から、係止が解除される位置（図３（ｂ）参照）へと移動させることができる。
【００１９】
このように係合爪１２と係合溝２２との係合を外した後、図３（ｃ）に示すように、天板１０を上に移動させることで、天板１０を蓋体本体２０から取り外すことができ、他の装飾が施される天板と交換することができる。
【００２０】
（他の実施形態）
前述した実施形態においては、図１に示すような模様を施したが、これに限るものではなく、天板の回転方向と直交する方向に段差のある模様が施されていればよい。このため、例えば図４に示すように、天板３０の上面に、竹細工を編んで構成される際の形状のような段差のある立体的な装飾３１を表面に施し、天板３０の側面に係合爪３２を構成して、蓋体Ｃを形成してもよい。
【００２１】
【発明の効果】
以上のように、本発明においては、天板の上面に回転方向と直交する方向に段差が形成されるため、使用者が天板の上面の装飾を押しつつ、天板を水平に回転させると、回転方向と直交する方向に形成される、格子状に形成された立体的な装飾の段差が使用者の指に引っかかる。これにより、天板の係合爪が、蓋体本体の係合溝からの係合から解除され、他の装飾が施される天板と交換することができる。このように、容器の蓋体の他に取り外し器具を使用しなくとも、他の装飾を施した天板に変更することができるため、蓋体のみの構成により天板を交換可能にすることができる。
【図面の簡単な説明】
【図１】容器の分解斜視図。
【図２】容器の蓋体の断面図。
【図３】天板と蓋体本体との組立図。
【図４】他の実施形態の容器の分解斜視図。
【符号の説明】
Ａ  …蓋体、Ｂ  …容器本体、Ｂ１  …雄ネジ部、Ｃ  …蓋体、
１０  …天板、１１  …装飾、１２  …係合爪、
２０  …蓋体本体、２１  …装着部、２２  …係合溝、
２２ａ  …ストッパ、２３  …雌ネジ部、
３０  …天板、３１  …装飾、３２  …係合爪
【図１】
2004338736.tif 000003
【図２】
2004338736.tif 000004
【図３】
2004338736.tif 000005
【図４】
2004338736.tif 000006